(57)【要約】【課題】含水率が極めて小さい脱水ケーキが得られる電気浸透脱水装置に用いる被処理汚泥供給装置を提供する。【解決手段】ローラ間に掛け回された無端ろ布と、該無端ろ布の下側に配置された陰極板と、前記無端ろ布の上側に配置された陽極板と、前記無端ろ布の上方に供給された被処理汚泥を圧搾するための圧搾手段とを有する電気浸透脱水装置に対し被処理汚泥を供給するための被処理汚泥供給装置であって、上面と、前記無端ろ布の上流側に位置する後面と、両側面と、前記無端ろ布の下流側に位置する前面との五面からなり、底面が開放された汚泥貯留部が前記無端ろ布の上方に設けられ、被処理汚泥を圧入するための圧入管が前記後面または前記上面を貫通しており、さらに前記前面の下部に設けられた切欠き部からなる被処理汚泥の供給口を有し、前記後面および前記両側面の下端に被処理汚泥の食み出し防止パッキングが設けられたことを特徴とする被処理汚泥供給装置。【選択図】図１
2017209655.tif 000002
【特許請求の範囲】
【請求項１】
ローラ間に掛け回された無端ろ布と、該無端ろ布の下側に配置された陰極板と、前記無端ろ布の上側に配置された陽極板と、前記無端ろ布の上方に供給された被処理汚泥を圧搾するための圧搾手段とを有する電気浸透脱水装置に対し被処理汚泥を供給するための被処理汚泥供給装置であって、
上面と、前記無端ろ布の上流側に位置する後面と、両側面と、前記無端ろ布の下流側に位置する前面との五面からなり、底面が開放された汚泥貯留部が前記無端ろ布の上方に設けられ、被処理汚泥を圧入するための圧入管が前記後面または前記上面を貫通しており、さらに前記前面の下部に設けられた切欠き部からなる被処理汚泥の供給口を有し、前記後面および前記両側面の下端に被処理汚泥の食み出し防止パッキングが設けられたことを特徴とする被処理汚泥供給装置。
【請求項２】
前記汚泥貯留部に整流板が設けられている、請求項１に記載の被処理汚泥供給装置。
【請求項３】
前記切欠き部の断面積を変更する絞り機構が設けられている、請求項１または請求項２に記載の被処理汚泥供給装置。
【請求項４】
前記供給口が複数設けられている、請求項１〜３のいずれかに記載の被処理汚泥供給装置。
【請求項５】
前記供給口が、角形状、半円形状、半楕円形状から選ばれる一種または複数種の断面を有する、請求項１〜４のいずれかに記載の被処理汚泥供給装置。
【発明の詳細な説明】
【技術分野】
【０００１】
本発明は、下水処理場、し尿処理場、あるいはその他の有機性含有廃水の処理工程等で発生する余剰汚泥等の汚泥を脱水処理する電気浸透脱水装置の被処理汚泥供給装置に関する。
【背景技術】
【０００２】
従来から汚泥を脱水処理するにあたり、遠心分離式脱水装置、スクリュウ式脱水装置、フイルタープレス式脱水装置、ベルトプレス式脱水装置等の各種脱水装置が用いられてきた。これらの脱水装置で脱水処理した脱水汚泥をさらに処理し、より含水率を低下させる装置として電気浸透脱水装置が用いられている。
【０００３】
従来から用いられている電気浸透脱水装置は、エンドレスに掛け回された無端ろ布の下側に陰極板を配し、無端ろ布の上側に上下動可能な陽極板を配し、無端ろ布の上部に、前述した各種脱水装置によって脱水処理した脱水汚泥を供給し、陽極板を押圧して脱水汚泥を圧搾するとともに両電極間に直流電圧を印加して脱水処理するものである。
【０００４】
このように両電極間に電圧を印加して圧搾処理すると、正に荷電する水分は陰極側に流動するように作用するので、機械的圧搾力と上記電気作用との総和作用によってさらに脱水処理されるのである（たとえば特許文献１〜３）。    
【０００５】
しかしながら従来の電気浸透脱水装置は無端ろ布上に被処理汚泥を供給する際に、無端ろ布の上方に設置した上部が開放したホッパーから被処理汚泥の自重によって供給するので、無端ろ布上に均等に被処理汚泥を供給することができず、ろ布上の当該汚泥の厚みに凹凸が生じ、その結果被処理汚泥に均等に圧搾力および電気作用力が加わらず、所期の効果が得られないという欠点があった。
【先行技術文献】
【特許文献】
【０００６】
【特許文献１】特許第５７３６６５９号公報
【特許文献２】特公平６−８５８４５号公報
【特許文献３】特開２０１５−２０２４８１号公報
【発明の概要】
【発明が解決しようとする課題】
【０００７】
本発明は従来の電気浸透脱水装置の上記欠点を解決し、無端ろ布上に被処理汚泥を均等な厚さで供給することによって、電気浸透脱水装置が本来有する脱水効果を最大限に発揮させることにより、含水率が極めて小さい脱水ケーキが得られる電気浸透脱水装置に用いる被処理汚泥供給装置を提供することを目的とする。
【課題を解決するための手段】
【０００８】
上記課題を解決するために、本発明に係る被処理汚泥供給装置は、ローラ間に掛け回された無端ろ布と、該無端ろ布の下側に配置された陰極板と、前記無端ろ布の上側に配置された陽極板と、前記無端ろ布の上方に供給された被処理汚泥を圧搾するための圧搾手段とを有する電気浸透脱水装置に対し被処理汚泥を供給するための被処理汚泥供給装置であって、上面と、前記無端ろ布の上流側に位置する後面と、両側面と、前記無端ろ布の下流側に位置する前面との五面からなり、底面が開放された汚泥貯留部が前記無端ろ布の上方に設けられ、被処理汚泥を圧入するための圧入管が前記後面または前記上面を貫通しており、さらに前記前面の下部に設けられた切欠き部からなる被処理汚泥の供給口を有し、前記後面および前記両側面の下端に被処理汚泥の食み出し防止パッキングが設けられたことを特徴とするものからなる。このような本発明の構成により、被処理汚泥圧入手段による圧入力と、被処理汚泥供給装置内の被処理汚泥が無端ろ布の水平走行によって装置外に持ち去られる推進力とによって、無端ろ布上に被処理汚泥を供給するので、無端ろ布上に被処理汚泥が確実に供給され、しかもその厚みもより均等となる。
【０００９】
本発明の被処理汚泥供給装置において、前記汚泥貯留部に整流板が設けられていることが好ましい。当該整流板により被処理汚泥の流れに指向性が付与されるので、被処理汚泥がスムーズに供給される。
【００１０】
本発明の被処理汚泥供給装置において、前記切欠き部の断面積を変更する絞り機構が設けられていることが好ましい。このような構成によれば切欠き部の断面積を変更して汚泥供給量を容易に調整することができるので、汚泥処理システム全体の安定運転が可能となる。
【００１１】
本発明の被処理汚泥供給装置において、前記供給口が複数設けられていることが好ましい。また前記供給口が、角形状、半円形状、半楕円形状から選ばれる一種または複数種の断面を有することが好ましい。このような構成によれば汚泥をむらなく供給することができるので、汚泥処理システム全体の安定運転が可能となる。
【発明の効果】
【００１２】
以上説明したように本発明の被処理汚泥供給装置は、被処理汚泥圧入手段による圧入力と、被処理汚泥供給装置内の被処理汚泥が無端ろ布の水平走行によって装置外に持ち去られる推進力とによって、無端ろ布上に被処理汚泥を供給するので、無端ろ布上に被処理汚泥が確実に供給され、しかもその厚みもより均等となる。
【００１３】
したがって被処理汚泥に均等に圧搾力および電気作用力が加わり、電気浸透脱水装置が本来有している脱水効果を最大限に発揮させることができる。
【００１４】
さらに被処理汚泥の供給口以外の後面および両側面に、無端ろ布に密着する食み出し防止パッキングが固定されているので、被処理汚泥を供給する際に被処理汚泥の供給口以外から被処理汚泥が食み出すことがない。したがって脱水ケーキに被処理汚泥が混入することもなく、装置周囲を汚すこともない。
【図面の簡単な説明】
【００１５】
【図１】本発明の実施態様の一例である被処理汚泥供給装置を用いた電気浸透脱水装置の説明図である。
【図２】図１の被処理汚泥供給装置をＡ−Ａ線から見た前部の外観図である。
【図３】図１の被処理汚泥供給装置のＢ−Ｂ線の断面図である。
【図４】図１の被処理汚泥供給装置をＣ−Ｃ線から見た後部の外観図である。
【図５】本発明の他の実施態様の被処理汚泥供給装置を上から見た説明図である。
【図６】本発明のさらに他の実施態様の被処理汚泥供給装置を上から見た説明図である。
【図７】本発明の他の実施態様の被処理汚泥供給装置の供給口を示した説明図である。
【図８】本発明の他の実施態様の被処理汚泥供給装置の要部を示した説明図である。
【図９】図８の被処理汚泥供給装置のＡ−Ａ線から見た断面図である。
【図１０】本発明の他の実施態様の被処理汚泥供給装置を前面から見た説明図である。
【図１１】本発明の他の実施態様の被処理汚泥供給装置を用いた電気浸透脱水装置の説明図である。
【発明を実施するための形態】
【００１６】
以下に本発明を、図面を用いて詳細に説明する。
図１は本発明の実施態様の一例である被処理汚泥供給を用いた電気浸透脱水装置であって、電気浸透脱水処理した後、無端ろ布に被処理汚泥を供給し始めた状態を示す説明図であり、１は回転ローラ２に掛け回された無端ろ布である。
【００１７】
無端ろ布１の回転方向下流側の上部には陽極板３が配置され、陽極板３には当該陽極板３を上下に駆動し得る圧搾手段４が設置されている。当該圧搾手段４には油圧式あるいは空圧式のシリンダー、エアーバック等の従来から用いられている圧搾装置をそのまま用いることができる。
【００１８】
陽極板３の下側には無端ろ布１を挟んで陰極板５が配置され、当該陰極板５は上部から圧迫力を受けてもそれに堪え得る強度で固定されている。また陰極板５には汚泥からの脱離水が通過し得るように多数の穴を有しており、このような陰極板５としてはパンチングメタルとその下方に付設した補強グリッド、Ｈ鋼等が好ましく用いられる。
【００１９】
無端ろ布１の水平面の回転方向上流側には陽極板３及び陰極板５が配置されておらず、被処理汚泥の供給部分としての必要程度の長さに無端ろ布１が掛け回されている。
【００２０】
さらに掛け回された下側無端ろ布１を挟んでシャワーノズル６が付設されており、陰極板５の下方および下側無端ろ布１の下方には脱離水の受け槽７がそれぞれ設置されている。また両電極板のすぐ下流に位置する回転ローラ２には脱水ケーキ１７を掻き取るためのスクレーパ８が設置されている。
【００２１】
また被処理汚泥貯槽９が設置されており、被処理汚泥貯槽９の下方に付設された連結管１０を介して被処理汚泥圧入手段１１が連通している。さらに被処理汚泥圧入手段１１の出口側にはそれぞれ連結管１２、遮断弁１３、連通管１４を介して本発明の被処理汚泥供給装置１５が連通している。被処理汚泥圧入手段１１としてはスクリューポンプや回転容積式一軸偏心ねじポンプ等が好ましく用いられる。また遮断弁１３としてはボール弁、ゲート弁等が好ましく用いられる。
【００２２】
なお被処理汚泥貯槽９の下方内部に回転翼１６を付設し、回転させることにより、被処理汚泥貯槽９内における被処理汚泥のブリッジによる空間部の形成を防止することができる。
【００２３】
被処理汚泥供給装置１５は図１に示されているように、無端ろ布１の上部に固定されているが、その詳細について図を用いて詳しく説明する。
【００２４】
図２は図１のＡ−Ａ線から見た前部の外観図であり、図３は図１のＢ−Ｂ線の断面図であり、図４は図１のＣ−Ｃ線から見た後部の外観図である。
【００２５】
図２ないし図４に示したように被処理汚泥供給装置１５は、上面１８と、無端ろ布１の上流側に位置する後面１９と、側面２０と、無端ろ布１の下流側に位置する前面２１との五面体からなり、底面が欠如した箱体からなっている。
【００２６】
また図４に示すように被処理汚泥を圧入するための連通管１４を後面１９に貫通させ、さらに図２に示すように前面２１の下部を切欠き、当該切欠き部を被処理汚泥の供給口２２としている。
【００２７】
前面２１を除く後面１９および両側面２０の下端には食み出し防止パッキング２３が押さえ板２４を介してボルト２５およびナット２６によって固定されている。食み出し防止パッキング２３の先端は無端ろ布１に密着し、被処理汚泥供給装置１５内の被処理汚泥が供給口２２以外から外部に食み出さないようになっている。
【００２８】
このような要求を満たす食み出し防止パッキング２３の材質としては、比較的固いものではあるが伸縮性があるものが好ましく、シリコン、ウレタン、メラミン、クロロプレン等が用いられる。
【００２９】
［作用］
次に本発明の被処理汚泥供給装置を備えた電気浸透脱水装置の操作を説明する。
前述したように図１は電気浸透脱水処理し、その後無端ろ布１に被処理汚泥２７を供給し始めた状態を示しており、陽極板３は駆動装置４によって引き上げられている。本状態から無端ろ布１を走行させながら被処理汚泥圧入手段１１を駆動させると、被処理汚泥供給装置１５内の被処理汚泥２７は被処理汚泥圧入手段１１の圧入力によって被処理汚泥の供給口２２から押し出される。
【００３０】
さらに無端ろ布１の水平走行は、被処理汚泥供給装置１５内であって無端ろ布１上に存在する被処理汚泥２７を、供給口２２に向かって持ち去るような推進力として働き、無端ろ布１上に被処理汚泥層２７Ａが形成される。
【００３１】
このように本発明の被処理汚泥供給装置１５は、被処理汚泥圧入手段１１の圧入力と、水平走行する無端ろ布１上の被処理汚泥が外部に持ち去られる推進力の両者の力によって、無端ろ布１上に被処理汚泥層２７Ａが形成されるので、被処理汚泥２７が確実に供給され、しかもその厚みもより均等となる。
【００３２】
さらに被処理汚泥供給装置１５の後面および両側面の下端には、無端ろ布１に密着する食み出し防止パッキング２３が固定されているので被処理汚泥２７が被処理汚泥の供給口２２以外から外部に食み出すことがない。したがって脱水ケーキに被処理汚泥が混入することもなく、装置周囲を汚すこともない。
【００３３】
一方陽極板３の下部に形成されていた脱水ケーキ１７は無端ろ布１の回転に伴い下流側に移動し、スクレーパ８によって掻き取られる。
【００３４】
なお無端ろ布１の回転走行速度は０．５〜１０ｍ／ｍｉｍ、被処理汚泥層２７Ａの厚みは５〜３０ｍｍとし、被処理汚泥の種類によって適当な速度と厚みを選択するとよい。
【００３５】
供給した被処理汚泥層２７Ａがもともと陽極板３の部分に存在していた脱水ケーキ１７のほぼ全量と入れ代った時点で、被処理汚泥圧入手段１１の駆動を止めるとともに遮断弁１３を閉じて被処理汚泥２７の供給を止め、さらに無端ろ布１の回転も止める。このような操作によって被処理汚泥層２７Ａが両電極板の間に形成される。
【００３６】
次いで駆動装置４を操作して陽極板３で被処理汚泥層２７Ａを圧搾するとともに、両極間に直流電圧を印加し電気浸透脱水処理を行う。
【００３７】
電気浸透脱水処理を所定時間行った後、再び陽極板３を引き上げ、前述したように脱水ケーキ１７の剥離と被処理汚泥２７の供給を行う。
[他の実施態様]
【００３８】
次に他の実施態様について説明する。
図５は他の実施態様の被処理汚泥供給装置１５を上から見た説明図であり、被処理汚泥供給装置１５内に一対の整流板２８を設けることが好ましい。
【００３９】
被処理汚泥圧入手段１１を介して圧入管１４より圧入される被処理汚泥供給装置１５内の被処理汚泥の流通は、中央部より両側面部の方がその移動距離が長いので、被処理汚泥の種類によっては被処理汚泥の供給口２２から排出される被処理汚泥は、その両端部の量がやや少なくなる傾向となる。
【００４０】
整流板２８を設置することにより被処理汚泥供給装置１５内の両側面部の被処理汚泥の流通が円滑となり、当該供給口２２から均等に被処理汚泥が排出されるようになる。
【００４１】
また図１ないし図５に示した被処理汚泥供給装置１５は、無端ろ布１の幅とほぼ等しい幅の被処理汚泥の供給口２２を有するものであるが、図６に示したように無端ろ布１の幅のほぼ２分の１の幅の当該供給口２２を有する被処理汚泥供給装置１５を二つ設置してもよい。
【００４２】
また被処理汚泥供給装置１５に有する当該供給口２２は一つとは限らず、図７（イ）に示したように前面２１に有する切欠き部の断面が角形である当該供給口２２を複数設けてもよく、あるいは図７（ロ）示したようにその断面が、半円形の当該供給口２２を複数設けてもよい。
【００４３】
なお当該供給口２２の断面は角形、半円形の他、半楕円形としてもよい。
【００４４】
なお図７に示したような角形あるいは円形の当該供給口２２を複数設けた被処理汚泥供給装置１５を用いる場合は、図８および図９に示したように当該供給口２２から押し出された直後の処理汚泥層２７Ａは離間して形成されるので、無端ろ布１の上部に押圧ローラ２９を設けて、離間した被処理汚泥層２７Ａをならし、離間部分を小さくすることもできる。
【００４５】
前述した被処理汚泥供給装置１５は、押し出されて形成される被処理汚泥層２７Ａの厚みが予め定めた厚さになるように被処理汚泥の供給口２２の幅が固定されているものであるが、図１０に示したように被処理汚泥供給装置１５の前面２１を両側面２０に沿って上下に可動可能とし、側面２０および前面２１にピン３０を貫通させて、しかるべき位置に前面２１を固定することによって当該供給口２２の断面積を可変し得るようにしてもよい。
【００４６】
このような構造の絞り機構を付設することにより、被処理汚泥の性状の変化に伴い、被処理汚泥層２７Ａの厚みを調節することができる。
【００４７】
図１１は本発明の他の実施態様を示す電気浸透脱水装置の説明図であって、被処理汚泥を圧入するための圧入管１４を被処理汚泥供給装置１５の上面に貫通させたもので、その他の点について図１と同様であるため、図１と同じ符号を付して説明を省略する。
【符号の説明】
【００４８】
１・・・・無端ろ布                ２・・・・回転ローラ
３・・・・陽極板                  ４・・・・圧搾手段    
５・・・・陰極板                  ６・・・・シャワーノズル
７・・・・受け槽                  ８・・・・スクレーパ
９・・・・被処理汚泥貯槽        １０・・・連通管
１１・・・被処理汚泥圧入手段    １２・・・連通管
１３・・・遮断弁                １４・・・圧入管
１５・・・被処理汚泥供給装置    １６・・・回転翼  
１７・・・脱水ケーキ            １８・・・上面
１９・・・後面                  ２０・・・側面  
２１・・・前面                  ２２・・・被処理汚泥の供給口
２３・・・食み出し防止パッキング
２４・・・押さえ板              ２５・・・ボルト
２６・・・ナット                ２７・・・被処理汚泥
２７Ａ・・被処理汚泥層          ２８・・・整流板
２９・・・押圧ローラ            ３０・・・ピン
【図１】
2017209655.tif 000003
【図２】
2017209655.tif 000004
【図３】
2017209655.tif 000005
【図４】
2017209655.tif 000006
【図５】
2017209655.tif 000007
【図６】
2017209655.tif 000008
【図７】
2017209655.tif 000009
【図８】
2017209655.tif 000010
【図９】
2017209655.tif 000011
【図１０】
2017209655.tif 000012
【図１１】
2017209655.tif 000013